(57)【特許請求の範囲】
【請求項１】
建物外からの雨水の浸入を防ぐための水切り部材であって、
前記水切り部材は、一枚の金属板を折り曲げて加工され、
垂直平面状の取付板部と、
前記取付板部の下端から前方に延出する雨水案内板部と、
前記雨水案内板部の先端から下方に延出した後に前記雨水案内板部の下端に折り返される前垂れ板部と、
前記前垂れ板部の上端から後方へ延出する底板部と、を備え、
前記底板部は、前後方向において前記取付板部よりも前方の位置で前方側に折り返された折返し板部を含み、
前記折返し板部から上方に延出する延出板部と、
前記延出板部の上端から後方へ延出する天板部と、をさらに備える、水切り部材。
【請求項２】
前記水切り部材は、前記折返し板部と、前記延出板部と、前記天板部とで囲まれた領域に板材を収納可能である、請求項１に記載の水切り部材。
【請求項３】
前記底板部は、前記前垂れ板部の上端から前記雨水案内板部の裏面に沿って延出する裏面板部を含む、請求項１または請求項２に記載の水切り部材。
【請求項４】
前記前垂れ板部の下端は、前記折返し板部の下端よりも下方に位置している、請求項１から請求項３のいずれか１項に記載の水切り部材。
【請求項５】
前記雨水案内板部の裏面と、前記天板部の上面との間に隙間が設けられている、請求項１から請求項４のいずれか１項に記載の水切り部材。
【請求項６】
垂直平面状の取付板部と、
前記取付板部の下端から前方に延出する雨水案内板部と、
前記雨水案内板部の先端から下方に延出した後に前記雨水案内板部の下端に折り返される前垂れ板部と、
前記前垂れ板部の上端から後方へ延出する底板部と、を備え、
前記底板部は、前後方向において前記取付板部よりも前方の位置で前方側に折り返された折返し板部を含み、
前記折返し板部から上方に延出する延出板部と、
前記延出板部の上端から後方へ延出する天板部と、をさらに備える水切り部材を一枚の金属板を折り曲げることで製造する、水切り部材の製造方法。
【発明の詳細な説明】
【技術分野】
【０００１】
本開示は、水切り部材および水切り部材の製造方法に関する。
【背景技術】
【０００２】
従来、建物の外壁から張り出したオーバーハング部の下端部に取付けられ、建物に雨水等が浸入することを防止するための水切り部材があった。特許文献１には、一枚の金属板を加工して作成される水切り部材に関する技術が開示されている。
【先行技術文献】
【特許文献】
【０００３】
【特許文献１】特開２０１８−５９３６３号公報
【発明の概要】
【発明が解決しようとする課題】
【０００４】
上記特許文献１に開示されている水切り部材は、オーバーハング部への取付けの点において改善の余地があった。
【０００５】
本開示の目的は、オーバーハング部へ好適に取付けることが可能な水切り部材および水切り部材の製造方法を提供することである。
【課題を解決するための手段】
【０００６】
本開示の水切り部材のある局面に従うと、建物外からの雨水の浸入を防ぐための水切り部材であって、上記水切り部材は、一枚の金属板を折り曲げて加工され、垂直平面状の取付板部と、上記取付板部の下端から前方に延出する雨水案内板部と、上記雨水案内板部の先端から下方に延出した後に上記雨水案内板部の下端に折り返される前垂れ板部と、上記前垂れ板部の上端から後方へ延出する底板部と、を備え、上記底板部は、前後方向において上記取付板部よりも前方の位置で前方側に折り返された折返し板部を含み、上記折返し板部から上方に延出する延出板部と、上記延出板部の上端から後方へ延出する天板部と、をさらに備える。
【０００７】
上記水切り部材は、上記折返し板部と上記延出板部と、上記天板部とで囲まれた領域に板材を収納可能である。
【０００８】
上記底板部は、上記前垂れ板部の上端から上記雨水案内板部の裏面に沿って延出する裏面板部を含む。
【０００９】
上記前垂れ板部の下端は、上記折返し板部の下端よりも下方に位置している。
【００１０】
上記雨水案内板部の裏面と、上記天板部の上面との間に隙間が設けられている。
【００１１】
本開示の水切り部材の製造方法のある局面に従うと、垂直平面状の取付板部と、上記取付板部の下端から前方に延出する雨水案内板部と、上記雨水案内板部の先端から下方に延出した後に上記雨水案内板部の下端に折り返される前垂れ板部と、上記前垂れ板部の上端から後方へ延出する底板部と、を備え、上記底板部は、前後方向において上記取付板部よりも前方の位置で前方側に折り返された折返し板部を含み、上記折返し板部から上方に延出する延出板部と、上記延出板部の上端から後方へ延出する天板部と、をさらに備える水切り部材を一枚の金属板を折り曲げることで製造する。
【発明の効果】
【００１２】
本開示によれば、オーバーハング部へ好適に取付けることが可能な水切り部材および水切り部材の製造方法を提供することができる。
【図面の簡単な説明】
【００１３】
【図１】建物に水切り部材が取付けられている様子を示す図である。
【図２】実施の形態１の水切り部材の斜視図である。
【図３】実施の形態１の水切り部材の断面図である。
【図４】実施の形態１の水切り部材が建物に取付けられた際の断面図である。
【図５】実施の形態２の水切り部材の断面図である。
【図６】従来の水切り部材を説明するための図である。
【発明を実施するための形態】
【００１４】
本開示に基づいた各実施の形態の水切り部材について、以下、図面を参照しながら説明する。以下に説明する実施の形態において、個数、量などに言及する場合、特に記載がある場合を除き、本開示の範囲は必ずしもその個数、量などに限定されない。同一の部品、相当部品に対しては、同一の参照番号を付し、重複する説明は繰り返さない場合がある。実施の形態における構成を適宜組み合わせて用いることは当初から予定されていることである。
【００１５】
［実施の形態１］
図１は、建物１０に水切り部材１が取付けられている様子を示す図である。建物１０は、外壁２を有している。外壁２は、建物１０の四方を取り囲むように設置されている。建物１０は、二階部分が一階部分よりも迫り出したオーバーハング部１００を有している。オーバーハングとは、下階よりも上階が張り出し、スペースが広くなるように設計された建築のことである。例えば、図１に示すような玄関上の２階部分が一階部分よりも迫り出した箇所、上層階に設けられるベランダ、バルコニーの迫り出した箇所が、オーバーハング部に該当する。
【００１６】
オーバーハング部１００の底面には、軒天井３が設けられている。オーバーハング部１００の下端部には、水切り部材１が取付けられている。水切り部材１は、オーバーハング部１００において、垂直方向の外壁２と水平方向の軒天井３との境目に取付けられ建物１０外からの雨水等の浸入を防ぐ。
【００１７】
図２から図４を参照して、実施の形態１の水切り部材１について説明する。図２は、水切り部材１の斜視図、図３は、水切り部材１の断面図、図４は、水切り部材１が建物１０に取付けられた際の断面図である。
【００１８】
水切り部材１は、一枚の金属板を折り曲げて加工される。金属板は、耐候性のある樹脂フィルムで表面が覆われている。水切り部材１の金属板には、例えば、板厚０．４ｍｍの塩ビ鋼板が用いられる。水切り部材１の金属板は、塩ビ鋼板以外が用いられてもよく、耐候性、加工性等が適したものであればどのような金属板であってもよい。水切り部材１の板厚は、０．４ｍｍに限定されず、曲げ加工に適していればどのような厚みのものであってもよい。
【００１９】
図２から図４では、水切り部材１の屋外側を前方向とし、屋内側を後方向とする。図２から図４では、水切り部材１の建物１０に対して上側を上方向とし、下側を下方向とする。図２では、水切り部材１の図に対して手前側を右方向とし、図に対して奥側を左方向とする。図２では、左右方向に延びる長尺の水切り部材１の一部を切り取って示している。
【００２０】
水切り部材１は、図２から図４に示すように、取付板部１１、雨水案内板部１２、前垂れ板部１３、裏面板部１４、底板部１５、折返し板部１６、延出板部１７、および天板部１８を有している。
【００２１】
取付板部１１は、上下方向に沿って垂直平面状に構成されている。取付板部１１は、図４に示す柱４１および横架材４２に対して図示しない釘等により取付けられる。図４に示すように、取付板部１１の前方には、防水シート３３、胴縁３２、および外壁２の順に建築材が配置されている。柱４１および横架材４２は、建物の骨組みとなる建築材料である。防水シートは、建物内部に雨水等が浸入してくるのを防ぐための建築材料である。胴縁３２は、壁の下地材のための建築材料である。外壁２は、風雨から建物を守るための建築材料である。
【００２２】
雨水案内板部１２は、取付板部１１の下端から斜め前方へ傾斜して延出する構造である。雨水案内板部１２は、外壁２から雨水案内板部１２上に落下してきた雨水等を前垂れ板部１３へ案内する。前垂れ板部１３は、雨水案内板部１２の先端から下方に延出した後に雨水案内板部１２の下端に折り返される構造である。雨水案内板部１２を流れてきた雨水等は、前垂れ板部１３の折返し位置から下方に落下する。
【００２３】
底板部１５は、前垂れ板部１３の上端から後方へ延出する構造である。裏面板部１４は、底板部１５に含まれる。裏面板部１４は、前垂れ板部１３の上端から雨水案内板部１２の裏面に沿って斜め上方に延出する構造である。裏面板部１４は、雨水案内板部１２の先端部分を支持することにより強度を高めている。底板部１５は、裏面板部１４の後端から斜め後方へ傾斜して延出する構造である。
【００２４】
底板部１５は、傾斜された後に水平方向に折り曲げられている。折り曲げられ底板部１５は、前後方向において取付板部１１よりも前方の位置で前方側に折り返された折返し板部１６を含む。折返し板部１６は、軒天材５１を支持する。延出板部１７は、折返し板部１６の前方端から上方へ延出する構造である。天板部１８は、延出板部１７の上端から後方へ延出する構造である。
【００２５】
図３に示すように、水切り部材１は、取付板部１１の長さをＬ１、雨水案内板部１２の長さをＬ２、前垂れ板部１３の長さをＬ３、裏面板部１４の長さをＬ４、傾斜した底板部１５の長さをＬ５、折返し板部１６の長さをＬ６、延出板部１７の長さをＬ７、天板部１８の長さをＬ８としている。水切り部材１は、前垂れ板部１３の先端から折返し板部１６の後端までの長さをＬ９としている。水切り部材１は、水平位置と、水平位置から傾斜した底板部１５との間を角度αとしている。
【００２６】
水切り部材１は、例えば、Ｌ１が２０ｍｍ〜６０ｍｍ、Ｌ２が２０ｍｍ〜６０ｍｍ、Ｌ３が１０ｍｍ〜３０ｍｍ、Ｌ４が０ｍｍ〜１０ｍｍ、Ｌ５が１０ｍｍ〜６０ｍｍ、Ｌ６が１０ｍｍ〜３０ｍｍ、Ｌ７が１０ｍｍ〜３０ｍｍ、Ｌ８が２０ｍｍ〜６０ｍｍ、Ｌ９が１５ｍｍ〜９０ｍｍ、角度αが３０°〜９０°で構成されることが好ましい。
【００２７】
水切り部材１は、例えば、Ｌ１が４０ｍｍ、Ｌ２が４０ｍｍ、Ｌ３が１８ｍｍ、Ｌ４が５ｍｍ、Ｌ５が２１ｍｍ、Ｌ６が１５ｍｍ、Ｌ７が１６ｍｍ、Ｌ８が４０ｍｍ、Ｌ９が３７ｍｍ、角度αが４５°で構成される。水切り部材１は、各寸法および角度が適宜変更可能である。
【００２８】
図３に示すように、水切り部材１は、前垂れ板部１３の下端が、折返し板部１６の下端よりも下方に位置している。これにより、前垂れ板部１３は、横殴りの雨であっても折返し板部１６側への浸入を防ぐことができる。
【００２９】
図３に示すように、雨水案内板部１２の裏面と、天板部１８の上面との間に隙間が設けられている。これにより、水切り部材１は、上方から物体が落下してきたとしても落下による衝撃をこの隙間により吸収することができる。
【００３０】
水切り部材１は、折返し板部１６と、延出板部１７と、天板部１８とで囲まれた領域に軒天井３の板材である軒天材５１が収納されるように構成される。それに対し、従来の水切り部材６０を説明するための図６に示すように、従来の水切り部材６０は、天板部６８に軒天材５１が接しているが折返し板部１６が設けられていない。従来の水切り部材６０は、軒天材５１の前方側にシーリング７１が施されている。シーリング７１は、水切り部材６０と軒天材５１との間に雨水等が浸入してくるのを防ぐ役割をしている。
【００３１】
従来の水切り部材６０は、折返し板部１６が設けられていないためシーリング７１を施す手間が必要であった。それに対し、本実施の形態の水切り部材１は、シーリング７１を施す工程が不要となるため、オーバーハング部１００へ水切り部材１を好適に取付けることができる。
【００３２】
［実施の形態２］
図５を参照して、実施の形態２の水切り部材２０について説明する。図５は、水切り部材２０の断面図である。実施の形態２の水切り部材２０は、実施の形態１の水切り部材１と比較し、傾斜した底板部２５の長さＬ１５、折返し板部２６の長さＬ１６、前垂れ板部１３の先端から折返し板部２６の後端までの長さＬ１９が異なっている。実施の形態２の水切り部材２０は、実施の形態１の水切り部材１と比較し、水平位置と、水平位置から傾斜した底板部２５との間を角度βが異なっている。
【００３３】
水切り部材２０は、例えば、Ｌ１が４０ｍｍ、Ｌ２が４０ｍｍ、Ｌ３が１８ｍｍ、Ｌ４が５ｍｍ、Ｌ１５が１９ｍｍ、Ｌ１６が１３ｍｍ、Ｌ７が１６ｍｍ、Ｌ８が４０ｍｍ、Ｌ１９が２９ｍｍ、角度βが６０°で構成される。水切り部材２０は、各寸法および角度が適宜変更可能である。
【００３４】
実施の形態２の水切り部材２０は、実施の形態１の水切り部材１と比較し、傾斜した底板部２５の長さＬ１５、折返し板部２６の長さＬ１６、前垂れ板部１３の端から折返し板部２６の端までの長さＬ１９がそれぞれ短くなっている。また、実施の形態２の水切り部材２０は、実施の形態１の水切り部材１と比較し、水平位置と、水平位置から傾斜した底板部２５との間の角度βが大きくなっている。
【００３５】
実施の形態２の水切り部材２０は、上記のような寸法の関係上、実施の形態１の水切り部材１よりも折返し板部２６が前方の位置に配置されるようになっている。
【００３６】
［水切り部材の製造方法］
水切り部材１，２０の製造方法について説明する。水切り部材１と水切り部材２０とは、製造方法が同じであるため、水切り部材１の製造方法を代表して説明する。
【００３７】
本実施の形態の水切り部材１を製造するには、第一に、長尺の０．４ｍｍの塩ビ鋼板を所定長さに切断する（切断工程）。第二に、成形機を用いて塩ビ鋼板を折り曲げて、水切り部材１の取付板部１１、雨水案内板部１２、前垂れ板部１３、裏面板部１４、底板部１５、折返し板部１６、延出板部１７、および天板部１８を形成する（折り曲げ工程）。
【００３８】
折り曲げ工程においては、水切り部材１のサイズに応じて各板部の寸法を変更することが可能である。折り曲げ工程においては、軒天材５１の厚みに応じて折返し板部１６、延出板部１７、および天板部１８で構成される領域の大きさを異ならせることも可能である。
【００３９】
［作用・効果］
本実施の形態における水切り部材１は、建物１０外からの雨水の浸入を防ぐための水切り部材１である。水切り部材１は、一枚の金属板を折り曲げて加工され、垂直平面状の取付板部１１と、取付板部１１の下端から前方に延出する雨水案内板部１２と、雨水案内板部１２の先端から下方に延出した後に雨水案内板部１２の下端に折り返される前垂れ板部１３と、前垂れ板部１３の上端から後方へ延出する底板部１５と、を備える。底板部１５は、前後方向において取付板部１１よりも前方の位置で前方側に折り返された折返し板部１６を含む。水切り部材１は、折返し板部１６から上方に延出する延出板部１７と、延出板部１７の上端から後方へ延出する天板部１８と、をさらに備える。
【００４０】
図４、図６に示すように、オーバーハング部１００へ水切り部材１を取付けた場合、水切り部材１は、折返し板部１６によりシーリング７１を施す工程が不要となる。これにより、水切り部材１は、オーバーハング部１００へ好適に取付けることが可能となる。
【００４１】
水切り部材１は、折返し板部１６と、延出板部１７と、天板部１８とで囲まれた領域に軒天材５１を収納可能である。これにより、水切り部材１は、軒天材５１の先端部分を保護しつつ建物１０内への雨水等の浸入を防ぐことができ、オーバーハング部１００へ好適に取付けることが可能となる。
【００４２】
底板部１５は、前垂れ板部１３の上端から雨水案内板部１２の裏面に沿って延出する裏面板部１４を含む。これにより、雨水案内板部１２の先端部分の強度を高めることができる。
【００４３】
前垂れ板部１３の下端は、折返し板部１６の下端よりも下方に位置している。これにより、水切り部材１は、折返し板部１６側へ雨水等が浸入してくることをより好適に前垂れ板部１３により防止することができる。
【００４４】
雨水案内板部１２の裏面と、天板部１８の上面との間に隙間が設けられている。これにより、水切り部材１は、上方から落下してきた物体に対して衝撃を吸収することができる。
【００４５】
本実施の形態において、水切り部材１の製造方法は、垂直平面状の取付板部１１と、取付板部１１の下端から前方に延出する雨水案内板部１２と、雨水案内板部１２の先端から下方に延出した後に雨水案内板部１２）の下端に折り返される前垂れ板部１３と、前垂れ板部１３の上端から後方へ延出する底板部１５と、を備え、底板部１５は、前後方向において取付板部１１よりも前方の位置で前方側に折り返された折返し板部１６を含み、折返し板部１６から上方に延出する延出板部１７と、延出板部１７の上端から後方へ延出する天板部１８と、をさらに備える水切り部材１を一枚の金属板を折り曲げることで製造する製造方法である。これにより、簡易な製造工程によって水切り部材１を作成することが可能となる。
【００４６】
［他の実施の形態］
上記実施の形態においては、建物１０の二階部分のオーバーハング部１００へ水切り部材１が設置されている場合について説明した。水切り部材１は、ベランダ、バルコニー等の他の位置に設置されるようにしてもよい。
【００４７】
水切り部材１は、建物１０の外壁２や軒天井３の色合いに合わせて模様や色が付されるようにしてもよい。
【００４８】
今回開示された実施の形態はすべての点で例示であって制限的なものではないと考えられるべきである。本開示の範囲は上記した説明ではなくて請求の範囲によって示され、請求の範囲と均等の意味および範囲内でのすべての変更が含まれることが意図される。
【符号の説明】
【００４９】
１，２０  水切り部材、２  外壁、３  軒天井、１０  建物、１１  取付板部、１２  雨水案内板部、１３  前垂れ板部、１４  裏面板部、１５，２５  底板部、１６，２６  折返し板部、１７  延出板部、１８  天板部、３２  胴縁、３３  防水シート、４１  柱、４２  横架材、５１  軒天材、１００  オーバーハング部。
【要約】
【課題】オーバーハング部へ好適に取付けることが可能な水切り部材および水切り部材の製造方法を提供する。
【解決手段】水切り部材１は、取付板部１１と、雨水案内板部１２と、前垂れ板部１３と、底板部１５と、を備える。底板部１５は、折返し板部１６を含む。水切り部材１は、延出板部１７と、天板部１８と、をさらに備える。
【選択図】図２【図１】
0006954692.tif 000002
【図２】
0006954692.tif 000003
【図３】
0006954692.tif 000004
【図４】
0006954692.tif 000005
【図５】
0006954692.tif 000006
【図６】
0006954692.tif 000007